(57)【要約】【課題】  測色器による測色精度を安定させることができる記録装置を提供すること。【解決手段】  記録装置１は、被記録媒体（Ｐ）に対して記録を実行する記録ヘッド２４を有し、被記録媒体（Ｐ）の幅方向Ｘに移動するキャリッジ２１と、該キャリッジ２１に設けられ、被記録媒体（Ｐ）における記録された色を測定する測色器３０と、前記記録ヘッド２４と対向し、被記録媒体（Ｐ）を支持する媒体支持部（４０）と、該媒体支持部（４０）に設けられ、被記録媒体（Ｐ）の記録面を表面とした場合の裏面側に配置され、色を測定するときの基準色の裏面測色基準部（４２）と、前記媒体支持部（４０）における前記裏面測色基準部（４２）の被記録媒体送り方向上流側および下流側に設けられ、吸引手段（４９）によって発生する負圧により被記録媒体（Ｐ）を吸引する上流側吸引部（４３ａ、４４ａ）および下流側吸引部（４５ａ）と、を備えていることを特徴とする。【選択図】図５
2010006009.tif 000002
【特許請求の範囲】
【請求項１】
被記録媒体に対して記録を実行する記録ヘッドを有し、被記録媒体の幅方向に移動するキャリッジと、
該キャリッジに設けられ、被記録媒体における記録された色を測定する測色器と、
前記記録ヘッドと対向し、被記録媒体を支持する媒体支持部と、
該媒体支持部に設けられ、被記録媒体の記録面を表面とした場合の裏面側に配置され、色を測定するときの基準色の裏面測色基準部と、
前記媒体支持部における前記裏面測色基準部の被記録媒体送り方向上流側および下流側に設けられ、吸引手段によって発生する負圧により被記録媒体を吸引する上流側吸引部および下流側吸引部と、を備えた記録装置。
【請求項２】
請求項１に記載の記録装置において、被記録媒体の送り方向において、測色実行時に前記媒体支持部における被記録媒体と接触する第１支持面と同一面上の前記裏面測色基準部より下流側であって、前記記録ヘッドと前記媒体支持部とが対向する方向において、前記裏面測色基準部の面より前記記録ヘッドと反対側へ退避した位置に被記録媒体と接触可能な第２支持面が設けられている記録装置。
【請求項３】
請求項１または２に記載の記録装置において、前記上流側吸引部および下流側吸引部は、被記録媒体の送り方向において、上流側から第１吸引孔列、第２吸引孔列、および第３吸引孔列を構成し、
前記第１吸引孔列と前記第２吸引孔列との間には、前記記録ヘッドから吐出されたインクを受けるインク受け部が配設され、
前記第２吸引孔列と前記第３吸引孔列との間には、前記裏面測色基準部が配設され、
記録実行時は、制御信号を受けて前記第１吸引孔列および前記第２吸引孔列のみによって被記録媒体を吸引し、
測色実行時は、制御信号を受けて少なくとも前記第２吸引孔列および前記第３吸引孔列によって被記録媒体を吸引するように切り替わる構成である記録装置。
【請求項４】
請求項１乃至３のいずれか１項に記載の記録装置において、前記裏面測色基準部は、変位機構によって、前記記録ヘッドと前記媒体支持部とが対向する方向において変位可能に設けられ、
測色実行時において、前記裏面測色基準部は、制御信号を受けて前記媒体支持部における被記録媒体と接触する第１支持面と同一面上である第１の位置へ変位し、
記録実行時において、前記裏面測色基準部は、制御信号を受けて前記第１支持面より前記記録ヘッドと反対側へ退避した第２の位置へ変位するように切り替わる構成である記録装置。
【発明の詳細な説明】
【技術分野】
【０００１】
本発明は、被記録媒体に対して記録を実行する記録ヘッドを有し、被記録媒体の幅方向に移動するキャリッジと、該キャリッジに設けられ、被記録媒体における記録された色を測定する測色器と、前記記録ヘッドと対向し、被記録媒体を支持する媒体支持部と、該媒体支持部に設けられ、色を測定するときに被記録媒体の記録面を表面とした場合の裏面側に配置する基準色の裏面測色基準部と、吸引手段によって発生する負圧により被記録媒体を吸引する吸引孔と、を備えた記録装置に関する。  
本願において、記録装置には、インクジェットプリンタ、ワイヤドットプリンタ、レーザープリンタ、ラインプリンタ、複写機、ファクシミリ等の種類が含まれるものとする。
【背景技術】
【０００２】
従来では、特許文献１に示す如く、記録装置は、キャリッジと、測色器と、媒体支持部としてのプラテンと、吸引手段としてのファンとを有していた。このうち、前記キャリッジは、記録ヘッドを有し、被記録媒体の一例であるロール紙の幅方向へ移動するように設けられていた。また、前記測色器は、前記キャリッジに設けられ、ロール紙に記録された測色パターンの色を測定することができるように設けられていた。
【０００３】
またさらに、前記プラテンは、前記記録ヘッドと対向し、下方から用紙を支持することができるように設けられていた。また、前記ファンは、前記プラテンの内部の下方に設けられ、該プラテンに設けられた吸引口から外気を吸引するように構成されていた。従って、搬送されるロール紙を前記プラテンに吸着させることができた。その結果、ロール紙を平坦にすることができ、記録精度を高精度に維持することができた。
【特許文献１】特開２００７−１０６０６９号公報
【発明の開示】
【発明が解決しようとする課題】
【０００４】
しかしながら、前記吸引口は、搬送方向において、前記測色器の一方側である下流側にのみ配設されていた。従って、測色実行時において、前記測色器の他方側である上流側のロール紙が前記プラテンから浮き上がる虞がある。即ち、測色実行時の浮き上がり対策が不十分であった。  
ここで、「浮き上がり」とは、用紙の巻き癖や変形等によって用紙がプラテンから離間して記録ヘッド側へ浮き上がることをいう。特に大型の用紙や、ロール紙の場合は浮き上がりが生じやすい傾向にある。
【０００５】
そして、ロール紙と前記プラテンとの間に隙間が生じ、該隙間に光りが入り込む虞がある。係る場合、測色実行時において、測色精度が不安定となる虞がある。具体的には、前記隙間に光が入り込むことによって、ロール紙に記録された色パターンの色の明るさ（明度）が明るくなる。即ち、前記測色器が、前記隙間が生じなかった場合の実際の色と比較して、色を明るく認識する結果となる虞がある。つまり、測色実行時においてロール紙を平坦にするだけでは十分ではなかった。
【０００６】
本発明は、このような状況に鑑み成されたものであり、その課題は、測色器による測色精度を安定させることができる記録装置を提供することである。
【課題を解決するための手段】
【０００７】
上記課題を達成するため、本発明の第１の態様の記録装置は、被記録媒体に対して記録を実行する記録ヘッドを有し、被記録媒体の幅方向に移動するキャリッジと、該キャリッジに設けられ、被記録媒体における記録された色を測定する測色器と、前記記録ヘッドと対向し、被記録媒体を支持する媒体支持部と、該媒体支持部に設けられ、被記録媒体の記録面を表面とした場合の裏面側に配置され、色を測定するときの基準色の裏面測色基準部と、前記媒体支持部における前記裏面測色基準部の被記録媒体送り方向上流側および下流側に設けられ、吸引手段によって発生する負圧により被記録媒体を吸引する上流側吸引部および下流側吸引部と、を備えていることを特徴とする。
【０００８】
本発明の第１の態様によれば、前記記録装置は、前記媒体支持部における前記裏面測色基準部の被記録媒体送り方向上流側および下流側に設けられ、吸引手段によって発生する負圧により被記録媒体を吸引する上流側吸引部および下流側吸引部を備えている。即ち、前記裏面測色基準部の上流側および下流側の両側において、被記録媒体を吸引する構成である。従って、測色実行時において、被記録媒体が前記裏面測色基準部から浮かないように吸着させることができる。即ち、被記録媒体と、前記裏面測色基準部との間に隙間が生じることを確実に防止することができる。その結果、被記録媒体に記録された色を精度良く測定することができる。即ち、前記裏面測色基準部との間に隙間が生じ、該隙間に光が入ることによって色の測定結果が不安定になる虞がない。
【０００９】
また、前記キャリッジに前記測色器を設け、前記媒体支持部に前記裏面測色基準部を設けることによって、記録装置を小型化することができる。  
またさらに、記録実行時において、ロール状に巻かれた被記録媒体がロールの巻き癖によって前記媒体支持部から浮き上がる所謂、浮き上がり現象を防止するために設けられた吸引手段を利用することによって、測色実行時のために専用の押さえ部材を設ける必要がない。
【００１０】
本発明の第２の態様は、第１の態様において、被記録媒体の送り方向において、測色実行時に前記媒体支持部における被記録媒体と接触する第１支持面と同一面上の前記裏面測色基準部より下流側であって、前記記録ヘッドと前記媒体支持部とが対向する方向において、前記裏面測色基準部の面より前記記録ヘッドと反対側へ退避した位置に被記録媒体と接触可能な第２支持面が設けられていることを特徴とする。
【００１１】
本発明の第２の態様によれば、第１の態様と同様の作用効果に加え、前記第２支持面が設けられている。  
例えば、被記録媒体がロール状に巻かれたものである場合、被記録媒体の先端部が前記媒体支持部に沿って送り方向下流側へ送られる。このとき、被記録媒体における前記先端部より後方近傍は、巻き癖によって膨れるように浮き上がる傾向にある。そして、該後方近傍に記録された色を測定する場合、該後方近傍は、前記裏面測色基準部から浮き上がりやすい傾向にある。  
そこで、前記先端部を、前記第１支持面より退避した前記第２支持面に沿って逃がすように下流側へ送ることにより、前記後方近傍を、前記裏面測色基準部から浮きにくくすることができる。その結果、より精度良く色を測定することができる。特に、被記録媒体がロール状に巻かれている場合に有効である。
【００１２】
本発明の第３の態様は、第１または第２の態様において、前記上流側吸引部および下流側吸引部は、被記録媒体の送り方向において、上流側から第１吸引孔列、第２吸引孔列、および第３吸引孔列を構成し、前記第１吸引孔列と前記第２吸引孔列との間には、前記記録ヘッドから吐出されたインクを受けるインク受け部が配設され、前記第２吸引孔列と前記第３吸引孔列との間には、前記裏面測色基準部が配設され、記録実行時は、制御信号を受けて前記第１吸引孔列および前記第２吸引孔列のみによって被記録媒体を吸引し、測色実行時は、制御信号を受けて少なくとも前記第２吸引孔列および前記第３吸引孔列によって被記録媒体を吸引するように切り替わる構成であることを特徴とする。
【００１３】
本発明の第３の態様によれば、第１または第２の態様と同様の作用効果に加え、記録実行時は、制御信号を受けて前記第１吸引孔列および前記第２吸引孔列のみによって被記録媒体を吸引し、測色実行時は、制御信号を受けて少なくとも前記第２吸引孔列および前記第３吸引孔列によって被記録媒体を吸引するように切り替わる構成である。従って、記録実行時は、被記録媒体における前記記録ヘッドと対向する箇所をしっかりと吸引して浮き上がりを防止することができる。
【００１４】
さらに、前記第３吸引孔列は作用しない構成である。従って、測色実行時と比較して、被記録媒体が前記媒体支持部に吸着する範囲を小さくすることができる。その結果、被記録媒体と前記媒体支持部との間に生じる摩擦抵抗を小さくすることができる。即ち、被記録媒体を下流側へ送る妨げとなる虞がない。  
一方、測色実行時は、被記録媒体を吸引して前記媒体支持部にしっかりと吸着させることができる。その結果、被記録媒体における前記裏面測色基準部上の箇所が浮き上がることを確実に防止することができる。  
即ち、用途に適した吸引状態にすることができる。
【００１５】
本発明の第４の態様は、第１から第３のいずれか一の態様において、前記裏面測色基準部は、変位機構によって、前記記録ヘッドと前記媒体支持部とが対向する方向において変位可能に設けられ、測色実行時において、前記裏面測色基準部は、制御信号を受けて前記媒体支持部における被記録媒体と接触する第１支持面と同一面上である第１の位置へ変位し、記録実行時において、前記裏面測色基準部は、制御信号を受けて前記第１支持面より前記記録ヘッドと反対側へ退避した第２の位置へ変位するように切り替わる構成であることを特徴とする。
【００１６】
本発明の第４の態様によれば、第１から第３のいずれか一の態様と同様の作用効果に加え、測色実行時において、前記裏面測色基準部は、制御信号を受けて前記媒体支持部における被記録媒体と接触する第１支持面と同一面上である第１の位置へ変位し、記録実行時において、前記裏面測色基準部は、制御信号を受けて前記第１支持面より前記記録ヘッドと反対側へ退避した第２の位置へ変位するように切り替わる構成である。従って、測色実行時において、被記録媒体と、前記裏面測色基準部との間に隙間が生じることを確実に防止することができる。  
一方、記録実行時において、被記録媒体と、前記裏面測色基準部との間に隙間を発生させ、前記裏面測色基準部において、摩擦による傷や汚れが生じることを防止することができる。その結果、測色実行時において、色の測定精度を安定させることができる。
【発明を実施するための最良の形態】
【００１７】
以下、本発明の実施の形態を図面に基づいて説明する。  
図１に示すのは、本発明に係る記録装置の内部を示す全体斜視図である。  
図１に示す如く、本発明に係る記録装置１は、搬送部１０と、記録部２０と、排出部６０とを有している。このうち、搬送部１０は、用紙Ｐを記録部２０へ搬送するように構成されている。具体的に搬送部１０は、搬送ローラ対１１と、後述する従動ローラホルダ１４とを有している。また、搬送ローラ対１１は、図示しない搬送用モータの動力によって駆動する搬送駆動ローラ１２と、従動ローラホルダ１４に回動自在に保持された搬送従動ローラ１３とを備えている。
【００１８】
また、記録部２０は、搬送された用紙Ｐに対して記録を実行することができるように構成されている。具体的に記録部２０は、キャリッジ２１と、記録ヘッド２４と、ガイド軸２２と、ガイドレール部２３と、メインプラテン４０と、サブプラテン５０とを有している。このうち、キャリッジ２１は、記録ヘッド２４を有し、キャリッジモータ２６の動力によって用紙Ｐの幅方向Ｘへ移動することができるように設けられている。具体的には、図示しないキャリッジベルトによって、キャリッジモータ２６の動力がキャリッジ２１へ伝達され、キャリッジ２１が移動するように構成されている。
【００１９】
また、記録ヘッド２４は、後述するノズル開口列２５（図５および図６参照）から用紙Ｐに対してインクを吐出して記録を実行することができるように構成されている。またさらに、ガイド軸２２およびガイドレール部２３は、キャリッジ２１を幅方向Ｘに案内するように設けられている。また、メインプラテン４０は、記録ヘッド２４と対向する位置に配設され、後述する第１用紙支持面４６（図５および図６参照）によって用紙Ｐを支持することができるように構成されている。従って、記録実行時において用紙Ｐと記録ヘッド２４との間の距離を一定にして記録を安定させることができる。またさらに、サブプラテン５０は、メインプラテン４０の搬送方向下流側に設けられ、記録実行中において、後述する第２用紙支持面５１（図５および図６参照）によって用紙Ｐの先端側を支持することができるように設けられている。
【００２０】
またさらに、キャリッジ２１には、記録された用紙Ｐの色を測定することができる測色器３０が設けられている。従って、用紙Ｐの一部に記録が実行されたとき、色を測定することができる。そして、測定結果の色と、理論上の色とに差がある場合は、記録するデータを補正してその後の記録に反映させることができる。  
尚、測定は、日本工業規格（ＪＩＳ）に取り入れられているＣＩＥ（Commission  Internationale  d'Eclairage（国際照明委員会））のＣＩＥ表色系の一つであるＬａｂ表色系によって行われる。  
ここで、「Ｌａｂ表色系」とは、明るさ（Lightness）をＬ軸で表し、色度の軸は、心理的な四原色の赤〜緑（ａ軸）と、黄〜青（ｂ軸）とによって表して、これら三つの軸が、立体的に直交する色空間で表される体系をいう。
【００２１】
また、メインプラテン４０およびサブプラテン５０の下方には、吸引手段の一例である吸引ファン４９が設けられている。記録実行時や測色実行時において、後述する第１吸引孔列４３〜第３吸引孔列４５を介して用紙Ｐをメインプラテン側へ吸引して、用紙Ｐの浮き上がりを防止することができるように設けられている。  
ここで、「浮き上がり」とは、用紙Ｐの巻き癖や変形等によって用紙Ｐがメインプラテン４０から離間して記録ヘッド側へ浮き上がることをいう。特に大型の用紙Ｐや、ロール紙の場合は浮き上がりが生じやすい傾向にある。
【００２２】
またさらに、搬送方向Ｙにおいて、メインプラテン４０における測色器３０と対向する位置には、基準色の裏面測色基準部としての白色の白バッキング部４２が設けられている。  
尚、裏面測色基準部は白色に限られるものではない。  
ここで、基準色白色の白バッキング部４２としたのは、記録前の用紙Ｐが白色だからである。例えば、記録前の用紙Ｐが黒色であれば、黒色が基準となるので、黒色の黒バッキング部を使用することになる。即ち、用紙Ｐ自体の色と同一色が基準色となる。また、同一色にするのは、用紙Ｐが透けて裏面側の背面の色が色の測定に影響を及ぼすことを防止するためである。またさらに、用紙Ｐに記録される色料（インク）は減法混色なので、被測定箇所に影響を与えない白色を用いるのが一般的である。
【００２３】
また、排出部６０は、記録された用紙Ｐを記録装置１の前方に設けられた排出スタッカ（図示せず）へ排出することができるように構成されている。具体的に排出部６０は、排出ローラ対６１（図３参照）と、排出ローラホルダ６４（図３参照）とを有している。このうち、排出ローラ対６１は、排出用モータ（図示せず）の動力によって駆動する排出駆動ローラ６２と、排出ローラホルダ６４に回動自在に保持された排出従動ローラ６３とを有している。
【００２４】
図２に示すのは、本発明に係る記録装置の内部を示す要部拡大平面図である。また、図３に示すのは、本発明に係る記録装置の内部を示す側断面図である。またさらに、図４に示すのは、本発明に係る記録装置のメインプラテンを示す拡大斜視図である。また、図５に示すのは、測色実行時におけるメインプラテンを示す拡大側断面図である。またさらに、図６に示すのは、記録実行時におけるメインプラテンを示す拡大側断面図である。
【００２５】
図２から図６に示す如く、メインプラテン４０には、搬送方向上流側から順に、第１吸引孔列４３、第２吸引孔列４４および第３吸引孔列４５が設けられている。このうち、第１吸引孔列４３は、複数の第１吸引孔４３ａ…（４３）によって構成されている。また、第２吸引孔列４４も同様に複数の第２吸引孔４４ａ…（４４）によって構成されている。またさらに、第３吸引孔列４５も同様に複数の第３吸引孔４５ａ…（４５）によって構成されている。
【００２６】
また、メインプラテン４０には、搬送方向上流側から順に、複数の第１吸引室４３ｂ、４３ｂ…、複数の第２吸引室４４ｂ、４４ｂ…および複数の第３吸引室４５ｂ、４５ｂ…が設けられている。このうち、第１吸引室４３ｂ、４３ｂ…には、第１吸引孔４３ａ…（４３）が設けられている。そして、吸引ファン４９によって負圧が発生し該負圧によって、第１吸引孔４３ａ…（４３）を介して第１吸引室近傍の空間の空気が吸引されるように構成されている。また、第２吸引室４４ｂ、４４ｂ…には、第２吸引孔４４ａ…（４４）が同様に設けられている。そして、第２吸引孔４４ａ…（４４）を介して第２吸引室近傍の空間の空気が吸引されるように構成されている。またさらに、第３吸引室４５ｂ、４５ｂ…には、第３吸引孔４５ａ…（４５）が同様に設けられている。そして、第３吸引孔４５ａ…（４５）を介して第３吸引室近傍の空間の空気が吸引されるように構成されている。
【００２７】
またさらに、メインプラテン４０において、搬送方向Ｙにおける第１吸引室４３ｂ、４３ｂ…と第２吸引室４４ｂ、４４ｂ…との間には、記録ヘッド２４のノズル開口列２５（図５および図６参照）から吐出されたインクが、打ち捨てられる打ち捨て溝部４１が配設されている。用紙Ｐの先端および後端に対して記録を実行する際、用紙Ｐの先端および後端からはみ出た分のインクが打ち捨て溝部４１に打ち捨てられることにより、用紙Ｐの端部に余白がない所謂、縁無し記録を実行することができる。  
尚、用紙Ｐの幅方向Ｘにおいて、所々、第１吸引室４３ｂ、４３ｂ…および第２吸引室４４ｂ、４４ｂ…に換えて打ち捨て溝部４１が搬送方向Ｙに長尺に設けられている箇所がある（図１参照）。これは、用紙Ｐの側端に対して縁無し記録を実行するためである。該長尺に設けられている箇所の位置は、所定の用紙サイズの側端に対応した位置である。
【００２８】
また、メインプラテン４０において、搬送方向Ｙにおける第２吸引室４４ｂ、４４ｂ…と第３吸引室４５ｂ、４５ｂ…との間には、白バッキング部４２が配設されている。さらに、白バッキング部４２は、測色器３０の測色センサ部３１と対向する位置に設けられている。  
尚、白バッキング部４２は、メインプラテン４０における幅方向Ｘの全域に設けられている。
【００２９】
またさらに、白バッキング部４２は、図示しない制御部に制御されるバッキング昇降機構４７（図５および図６参照）によって高さ方向であるＺ軸方向に移動可能に構成されている。バッキング昇降機構４７は、例えば、カム機構によって白バッキング部４２をＺ軸方向へ移動させることができる。  
尚、バッキング昇降機構４７はカム機構に限られないのは勿論である。レバー機構によっても移動させることができる。また、バッキング昇降機構４７の動力は、専用のモータを設けてもよいし、ギア輪列を介して他の機構のモータを利用してもよい。
【００３０】
一方、測色器側には、コロローラ３２、３２が回動自在に保持されている。コロローラ３２、３２は、測色センサ部３１の搬送方向上流側および下流側であって、白バッキング部４２の搬送方向上流端および下流端と対向する位置に設けられている。また、コロローラ３２、３２は、制御部（図示せず）に制御される図示しないコロ昇降機構によって、Ｚ軸方向に移動することができるように構成されている。該コロ昇降機構は、バッキング昇降機構４７と同様にカム機構によってコロローラ３２、３２をＺ軸方向に移動させる構成であってもよい。また、レバー機構によってコロローラ３２、３２を移動させる構成であってもよい。  
尚、コロローラ３２、３２は、用紙Ｐの幅方向Ｘへ回転するように配設されているものとする。また、前記コロ昇降機構の動力は、専用のモータを設けてもよいし、ギア輪列を介して他の機構のモータを利用してもよい。
【００３１】
また、第１吸引孔４３ａ…（４３）〜第３吸引孔４５ａ…（４５）の近傍には、孔の開閉を切り替える吸引切り替え機構４８がそれぞれ設けられている。吸引切り替え機構４８は、図示しない制御部に制御され、例えば、開口（図示せず）を有するスライド部をＸ軸またはＹ軸方向へスライドさせ、該開口を第１吸引孔４３ａ…（４３）〜第３吸引孔４５ａ…（４５）と対向させることによって開放状態とすることができる。その結果、第１吸引孔４３ａ…（４３）〜第３吸引孔４５ａ…（４５）は、用紙Ｐを吸引することができる。
【００３２】
一方、該開口が第１吸引孔４３ａ…（４３）〜第３吸引孔４５ａ…（４５）と対向しない位置へ前記スライド部をＸ軸またはＹ軸方向へスライドさせることにより閉塞状態とすることができる。その結果、第１吸引孔４３ａ…（４３）〜第３吸引孔４５ａ…（４５）の一部が用紙Ｐを吸引しないように切り替えることができる。即ち、前記スライド部の開口によって、第１吸引孔４３ａ…（４３）および第２吸引孔４４ａ…（４４）のみによって、用紙Ｐを吸引するように切り替えることができる。  
尚、吸引切り替え機構４８の動力は、専用のモータを設けてもよいし、ギア輪列を介して他の機構のモータを利用してもよい。
【００３３】
またさらに、サブプラテン５０は、前述したようにメインプラテン４０の搬送方向下流側に配設されている。そして、サブプラテン５０は、Ｚ軸方向において、メインプラテン４０の用紙Ｐと接触する第１用紙支持面４６（図５および図６参照）の高さより低い位置において、用紙Ｐを支持するように設けられている。即ち、サブプラテン５０において用紙Ｐを支持する第２用紙支持面５１（図５および図６参照）は、メインプラテン４０の第１用紙支持面４６より低く設けられている。さらに言い換えると、第２用紙支持面５１は、第１用紙支持面４６より退避するように低く位置し、段差を形成する。  
続いて、測色実行時と記録実行時とについて説明する。
【００３４】
［測色実行時］  
図５に示す如く、測色実行時では、白バッキング部４２は、バッキング昇降機構４７によって、上昇して第１用紙支持面４６と同じ高さの位置である「第１の位置」で停止する。即ち、白バッキング部４２は、メインプラテン４０の第１用紙支持面４６と共に用紙Ｐを支持する。  
また、図示しない制御部に制御される吸引切り替え機構４８によって、第１吸引孔４３ａ…（４３）〜第３吸引孔４５ａ…（４５）は開放状態となり、吸引ファン４９による負圧によって用紙Ｐは、白バッキング部側に引き寄せられる。ここで、白バッキング部４２の搬送方向上流側および下流側の両側において、用紙Ｐを吸引することができる。従って、用紙Ｐと白バッキング部４２との間に隙間が生じる虞がない。その結果、用紙Ｐと白バッキング部４２との間に光りが入り込む虞がない。
【００３５】
またさらに、用紙Ｐの先端は、メインプラテン４０を通過し、メインプラテン４０の第１用紙支持面４６より低いサブプラテン５０の第２用紙支持面５１上に位置している。  
ここで、用紙Ｐがロール紙である場合、巻き癖によって用紙Ｐの先端より後方近傍が浮き上がる傾向にある。  
そこで、用紙Ｐの先端を第１用紙支持面４６より低い第２用紙支持面５１へ逃がすようにすることで、用紙Ｐの先端より後方近傍が、白バッキング部４２から浮き上がることを防止することができる。即ち、用紙Ｐの先端を沈めることによって用紙Ｐの先端より後方近傍が浮き上がることを防止することができる。
【００３６】
また、図示しない前記コロ昇降機構によって、コロローラ３２、３２は下がった状態となる。そして、色が記録された用紙Ｐを白バッキング部４２へ押さえ付けると共に、用紙Ｐの測定箇所である色パターンと、測色器３０の測色センサ部３１との間の距離を所定の距離に保つことができる。  
尚、このとき、キャリッジ２１とガイド軸２２との間の僅かなガタによって、キャリッジ２１がＺ軸方向へ僅かに変位し、前記所定の距離を保つことができる。
【００３７】
この状態でキャリッジ２１が用紙Ｐの幅方向Ｘへ移動しながら、用紙Ｐに記録された色パターンを順番に測定するように構成されている。  
このとき、前述したように、用紙Ｐと白バッキング部４２との間に隙間が生じないので、用紙Ｐと白バッキング部４２との間に光が入る虞がない。その結果、明度等が不安定になる虞がないので、精度良く色を測定することができる。
【００３８】
またさらに、測色を実行する際において、用紙Ｐの先端近傍に測定用の色パターンが記録された場合、該色パターンの記録直後に該色パターンの色を測定することができる。そして、本実施形態では、測色器３０の測色センサ部３１が記録ヘッド２４の搬送方向下流側近傍に設けられている。従って、搬送ローラ対１１を逆転して用紙Ｐを搬送方向上流側へ逆送りすることなく、前記色パターン以外の箇所の記録を実行することができる。
【００３９】
その結果、逆転動作による所謂、バックラッシによって搬送精度が低下する虞がない。また、逆転動作を必要としないため、単位時間当りの搬送枚数であるスループットを向上させることができる。またさらに、用紙Ｐの先端近傍の色パターンの色を測定した結果に基づいて該色パターン以外の箇所の記録データを補正した後に、該色パターン以外の箇所の記録を実行することが可能である。
【００４０】
［記録実行時］  
図６に示す如く、記録実行時では、白バッキング部４２は、バッキング昇降機構４７によって、下降して第１用紙支持面４６より低い高さの位置である「第２の位置」で停止する。即ち、メインプラテン４０において、用紙Ｐは、第１用紙支持面４６のみによって支持される。一方、用紙Ｐと白バッキング部４２との間には隙間が生じる。  
また、吸引切り替え機構４８によって、第１吸引孔４３ａ…（４３）および第２吸引孔４４ａ…（４４）は開放状態となり、第３吸引孔４５ａ…（４５）は閉塞状態となる。従って、用紙Ｐは、記録ヘッド２４のノズル開口列２５と対向する範囲の近傍でのみにおいて、メインプラテン側へ引き寄せられる。
【００４１】
またさらに、図示しない前記コロ昇降機構によって、コロローラ３２、３２は上がった状態となる。即ち、コロローラ３２、３２は用紙Ｐに対して退避移動した状態となる。  
この状態でキャリッジ２１が用紙Ｐの幅方向Ｘへ移動しながら、用紙Ｐに記録を実行するように構成されている。  
このとき、前述したように、用紙Ｐと白バッキング部４２との間には隙間がある。従って、白バッキング部４２の表面において、用紙Ｐとの摩擦による傷が生じない。その結果、測色実行時において、測定精度が低下する虞がない。
【００４２】
また、前述したように、用紙Ｐは、記録ヘッド２４のノズル開口列２５と対向する範囲の近傍でのみにおいて、メインプラテン側へ引き寄せられる。即ち、メインプラテン側へ引き寄せられる用紙Ｐの範囲を最小限度にすることができる。従って、メインプラテン４０と用紙Ｐとの間で生じる摩擦抵抗を最小限度にすることができる。その結果、用紙Ｐの搬送を妨げる虞がない。
【００４３】
尚、吸引切り替え機構４８によって、第３吸引孔４５ａ…（４５）を閉塞状態にしたとき、開放状態の第１吸引孔４３ａ…（４３）および第２吸引孔４４ａ…（４４）の吸引量が増加することを防止するため、閉塞状態において、別途設けた孔から大気を吸引可能に切り替えるように構成してもよい。  
またさらに、前述したように、コロローラ３２、３２は用紙Ｐに対して退避移動した状態となる。従って、コロローラ３２、３２が、キャリッジ２１が用紙Ｐの幅方向Ｘへ移動することを妨げる虞がない。即ち、キャリッジ２１は、白バッキング部４２の表面の凹凸形状の影響を受けずに、ガイド軸２２によってスムーズに移動することができる。また、コロローラ３２、３２はＸ軸方向にのみ回転可能の構成であり、用紙Ｐから離間することによって、用紙Ｐの搬送方向Ｙへの搬送を妨げる虞がない。
【００４４】
本実施形態の記録装置１は、被記録媒体の一例である用紙Ｐに対して記録を実行する記録ヘッド２４を有し、用紙Ｐの幅方向Ｘに移動するキャリッジ２１と、キャリッジ２１に設けられ、用紙Ｐにおける記録された色を測定する測色器３０と、記録ヘッド２４と対向し、用紙Ｐを支持する媒体支持部としてのメインプラテン４０と、メインプラテン４０に設けられ、用紙Ｐの記録面を表面とした場合の裏面側に配置され、色を測定するときの基準色の裏面測色基準部の一例である白バッキング部４２と、メインプラテン４０における白バッキング部４２の用紙送り方向である搬送方向上流側および下流側に設けられ、吸引手段である吸引ファン４９によって発生する負圧により用紙Ｐを吸引する上流側吸引部としての第１吸引孔４３ａ…（４３、４３ｂ）および第２吸引孔４４ａ…（４４、４４ｂ）および下流側吸引部としての第３吸引孔４５ａ…（４５、４５ｂ）と、を備えていることを特徴とする。
【００４５】
また、本実施形態において、用紙Ｐの搬送方向Ｙにおいて、測色実行時にメインプラテン４０における用紙Ｐと接触する第１支持面としての第１用紙支持面４６と同一面上の白バッキング部４２より下流側であって、記録ヘッド２４とメインプラテン４０とが対向する方向である高さ方向Ｚにおいて、白バッキング部４２の面より記録ヘッド２４と反対側へ退避した位置に用紙Ｐと接触可能な第２支持面としてのサブプラテン５０の第２用紙支持面５１が設けられていることを特徴とする。
【００４６】
またさらに、本実施形態において、前記上流側吸引部および下流側吸引部は、用紙Ｐの搬送方向Ｙにおいて、上流側から第１吸引孔列４３、第２吸引孔列４４、および第３吸引孔列４５を構成し、第１吸引孔列４３と第２吸引孔列４４との間には、記録ヘッド２４から吐出されたインクを受けるインク受け部としての打ち捨て溝部４１が配設され、第２吸引孔列４４と第３吸引孔列４５との間には、白バッキング部４２が配設され、記録実行時は、制御信号を受けて第１吸引孔列４３および第２吸引孔列４４のみによって用紙Ｐを吸引し、測色実行時は、制御信号を受けて少なくとも第２吸引孔列４４および第３吸引孔列４５によって用紙Ｐを吸引するように切り替わる構成であることを特徴とする。
【００４７】
また、本実施形態において、白バッキング部４２は、変位機構としてのバッキング昇降機構４７によって、記録ヘッド２４とメインプラテン４０とが対向する方向である高さ方向Ｚにおいて変位可能に設けられ、測色実行時において、白バッキング部４２は、制御信号を受けてメインプラテン４０における用紙Ｐと接触する第１用紙支持面４６と同一面上である「第１の位置」（図５参照）へ変位し、記録実行時において、白バッキング部４２は、制御信号を受けて第１用紙支持面４６より記録ヘッド２４と反対側へ退避した「第２の位置」（図６参照）へ変位するように切り替わる構成であることを特徴とする。
【００４８】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００４９】
【図１】本発明に係る記録装置の内部を示す全体斜視図。
【図２】本発明に係る記録装置の内部を示す要部拡大平面図。
【図３】本発明に係る記録装置の内部を示す側断面図。
【図４】本発明に係る記録装置のプラテンを示す拡大斜視図。
【図５】本発明に係る記録装置のプラテンを示す拡大側断面図（測色実行時）。
【図６】本発明に係る記録装置のプラテンを示す拡大側断面図（記録実行時）。
【符号の説明】
【００５０】
１  記録装置、１０  搬送部、１１  搬送ローラ対、１２  搬送駆動ローラ、
１３  搬送従動ローラ、１４  従動ローラホルダ、２０  記録部、２１  キャリッジ、
２２  ガイド軸、２３  ガイドレール部、２４  記録ヘッド、２５  ノズル開口列、
２６  キャリッジモータ、３０  測色器、３１  測色センサ部、３２  コロローラ、
４０  メインプラテン、４１  打ち捨て溝部、４２  白バッキング部、
４３  第１吸引孔列、４３ａ  第１吸引孔、４３ｂ  第１吸引室、
４４  第２吸引孔列、４４ａ  第２吸引孔、４４ｂ  第２吸引室、
４５  第３吸引孔列、４５ａ  第３吸引孔、４５ｂ  第３吸引室、
４６  第１用紙支持面、４７  バッキング昇降機構、４８  吸引切り替え機構、
４９  吸引ファン、５０  サブプラテン、５１  第２用紙支持面、６０  排出部、
６１  排出ローラ対、６２  排出駆動ローラ、６３  排出従動ローラ、
６４  排出ローラホルダ、Ｐ  用紙、Ｘ  幅方向、Ｙ  搬送方向、Ｚ  高さ方向
【図１】
2010006009.tif 000003
【図２】
2010006009.tif 000004
【図３】
2010006009.tif 000005
【図４】
2010006009.tif 000006
【図５】
2010006009.tif 000007
【図６】
2010006009.tif 000008